(57)【要約】      （修正有）【課題】通気と積み重ね機能を具えた爬虫類用飼育箱の提供。【解決手段】飼育箱は箱体、蓋体３０及び２片の扉板４０で組成され、蓋体は箱体上方を被覆し、該蓋体表面にネット３４が設けられて通気に供され、２片の扉板は箱体と蓋体前方のスライドレール２６上に設けられて開閉に用いられ、特に該蓋体の四つの角部にＬ形ストッパ３５が設けられ、該Ｌ形ストッパの内側にＬ形ストッパより低いＬ形フレーム３６が設けられてもう一つの飼育箱を上に積み重ねるのに用いられ、該Ｌ形フレームを利用し飼育箱の間に通気空隙を保留し、２片の導電片に複数の細小な通気孔が設けられ、これにより良好な通風効果を保持し、また一片の扉板の接続辺に密封パッキング４３が設けられ、蚊やハエが隙間より飼育箱内部に進入するのを防止している。【選択図】図４
0003108126.tif 000002
【実用新案登録請求の範囲】
【請求項１】
各側の板片で組成された既定形状、大きさで且つ上部が開放された箱体を具え、該箱体の上部が蓋体で被覆され、前面板片が水を入れるのに供される高さのみ有し、蓋体と前面板片の間に対応する上下のスライドレールが設けられて二片の扉板の設置に供され、該蓋体の四隅に突出するＬ形ストッパが設けられ、該Ｌ形ストッパの内側にＬ形ストッパより低いＬ形フレームが設けられてもう一つの飼育箱を積み重ねるのに供され、該Ｌ形フレームにより各飼育箱の間の通風空隙が保持されることを特徴とする、通気と積み重ね機能を具えた爬虫類用飼育箱。
【請求項２】
請求項１記載の通気と積み重ね機能を具えた爬虫類用飼育箱において、飼育箱の蓋体表面に開口部とネットが設けられたことを特徴とする、通気と積み重ね機能を具えた爬虫類用飼育箱。
【請求項３】
請求項１又は２記載の通気と積み重ね機能を具えた爬虫類用飼育箱において、飼育箱の蓋体底部に各側板片上部が挿入される挿入溝が設けられたことを特徴とする、通気と積み重ね機能を具えた爬虫類用飼育箱。
【請求項４】
請求項１記載の通気と積み重ね機能を具えた爬虫類用飼育箱において、二片の扉板にロック装置が設けられたことを特徴とする、通気と積み重ね機能を具えた爬虫類用飼育箱。
【請求項５】
請求項１記載の通気と積み重ね機能を具えた爬虫類用飼育箱において、二片の扉板に孔径が蚊やハエより小さい通気孔が設けられたことを特徴とする、通気と積み重ね機能を具えた爬虫類用飼育箱。
【請求項６】
請求項１又は５記載の通気と積み重ね機能を具えた爬虫類用飼育箱において、扉板の接続辺に密封パッキングが設けられたことを特徴とする、通気と積み重ね機能を具えた爬虫類用飼育箱。
【考案の詳細な説明】
【技術分野】
【０００１】
本考案は通気と積み重ね機能を具えた爬虫類用飼育箱に係り、特に、爬虫類の飼育箱に応用され、飼育箱の上方の蓋体の四隅に一体にもう一つの飼育箱を積み重ねる時の安定した位置決め作用を有するＬ形ストッパが設けられ、該Ｌ形ストッパの内側部分に飼育箱を持ち上げ通気空隙を保留するためのＬ形フレームが設けられ、飼育箱の前方の二片の扉板に通風効果を増す複数の通気孔が設けられ、また二片の扉板の間の隙間に蚊やハエの侵入を防止する密封パッキングが設けられた、飼育箱に関する。
【背景技術】
【０００２】
周知の爬虫類用飼育箱は、図１に示されるように、飼育箱１０が透明材質（例えばガラス、アクリル板）の前面板片１１、後面板片１２、左面板片１３、右面板片１４及び底面板片１５が接着されて組み合わされてなる。該飼育箱１０の上部は開放され、飼育箱１０を積み重ねる時は、飼育箱１０の上部の四隅にＬ形保護角１６を嵌合しなければならず、このＬ形保護角１６の底部にＬ形の挿入溝１６１が設けられ、飼育箱１０上部の四つの角部に挿嵌され、該Ｌ形保護角１６の内側に位置決め柱１６２が設けられ、もう一つの飼育箱１０’が積み重ねられる時、適当な通風空隙を保持することができる。
【０００３】
但し上述の周知の飼育箱１０は実際の応用時に、図２に示されるように、少なくとも以下のような克服すべき欠点があった。
一．飼育箱１０は上面が開放されているほか、その他の五個の面（前面、後面、左面、右面、底面）がいずれも完全に閉じられ、通風効果が非常に悪く、飼育箱内部の臭いが散逸しにくく、悪臭を発生するほか、ペットの病気や不快感を形成しやすい。
二．飼育箱１０にペット、餌、或いはその他の器材設備を出し入れする時、飼育箱１０の上部の開口部分より実施しなければならず、飼育箱１０が積み重ねられている時は、上方の飼育箱１０を下ろしたり上げたりしなければならず、非常に面倒で不便である。
三．飼育箱１０を積み重ねる時、四周に四つのＬ形保護角１６を放置しなければならず、実施上、面倒で不便であるほか、Ｌ形保護角１６を遺失しやすい。
四．Ｌ形保護角１６内側の位置決め柱１６２と上方に積み重ねられた小型の飼育箱１０の底面は僅かに四つの円点で接触し、ゆえに支持効果が低く、応力集中の情況を発生しやすい。
五．飼育箱１０の上部中空部分より蚊やハエが侵入しやすく、ペットが噛まれたり、飼育環境の餌や飲み水が汚染され、ペットに病気を発生させやすい。
【考案の開示】
【考案が解決しようとする課題】
【０００４】
本考案は周知の爬虫類用飼育箱の欠点と問題を解決する通気と積み重ね機能を具えた爬虫類用飼育箱を提供することを目的とする。
【０００５】
上述の従来の技術の問題一を解決するための技術手段として、本考案の提供する飼育箱は、上部の蓋体表面にネットが設けられているほか、前方の二片の扉板に複数の通気孔が設けられ、良好な通風効果を保持し、飼育箱内部の臭いを除去しやすく、ペットに病気を発生させにくく、快適な感覚を与えることができる。
【０００６】
上述の従来の技術の問題二を解決するための技術手段として、本考案の提供する飼育箱は、飼育箱前方の所定高さ部分と蓋体前方の対応位置部分に下、上の二つのスライドレールが設けられ、二片の開放と閉合が可能な扉板の設置に供され、扉板にロック装置が取付られ、脱走、盗難防止の機能を具備し、飼育者がペット、餌、或いはその他の器材設備を出し入れする時、簡単に扉板を開き、飼育箱の前方より出し入れでき、飼育箱が相互に積み重ねられている時も、上方の飼育箱を下ろしたり上げたりする必要がなく、非常に簡単で便利である。
【０００７】
上述の従来の技術の問題三を解決するための技術手段として、本考案の提供する飼育箱は、蓋体が箱体の上部に固定され、且つ蓋体の四隅に一体成形のＬ形ストッパが設けられ、該Ｌ形ストッパの内側にＬ形ストッパより低いＬ形フレームが設けられ、もう一つの飼育箱を上向きに積み重ねるのに供され、実施上、直接積み重ねができるほか、Ｌ形保護角の遺失の問題がない。
【０００８】
上述の従来の技術の問題四を解決するための技術手段として、本考案の提供する飼育箱は、蓋体のＬ形ストッパの内側にＬ形ストッパより低いＬ形フレームが設けられ、該Ｌ形フレームと上方に積み重ねられた飼育箱の底面がＬ形の線形接触を形成し、ゆえに支持効果が良好で、重量を分散でき、応力集中の情況を発生しにくい。
【０００９】
上述の従来の技術の問題五を解決するための技術手段として、本考案の提供する飼育箱は、蓋体表面にネットが設けられているほか、二片の扉板の複数の通気孔の孔径が僅かに１．５ｍｍとされ、これは一般に蚊やハエより小さく、このほか、一片の扉板の接続辺に更に密封パッキングが設けられ、通風通気機能を有するほか、蚊やハエの飼育箱内部への侵入を防止し、ペットが噛まれたり、エサや飲み水の汚染を防止し、ペットに病気が発生するのを防止できる。
【課題を解決するための手段】
【００１０】
請求項１の考案は、各側の板片で組成された既定形状、大きさで且つ上部が開放された箱体を具え、該箱体の上部が蓋体で被覆され、前面板片が水を入れるのに供される高さのみ有し、蓋体と前面板片の間に対応する上下のスライドレールが設けられて二片の扉板の設置に供され、該蓋体の四隅に突出するＬ形ストッパが設けられ、該Ｌ形ストッパの内側にＬ形ストッパより低いＬ形フレームが設けられてもう一つの飼育箱を積み重ねるのに供され、該Ｌ形フレームにより各飼育箱の間の通風空隙が保持されることを特徴とする、通気と積み重ね機能を具えた爬虫類用飼育箱としている。
請求項２の考案は、請求項１記載の通気と積み重ね機能を具えた爬虫類用飼育箱において、飼育箱の蓋体表面に開口部とネットが設けられたことを特徴とする、通気と積み重ね機能を具えた爬虫類用飼育箱としている。
請求項３の考案は、請求項１又は２記載の通気と積み重ね機能を具えた爬虫類用飼育箱において、飼育箱の蓋体底部に各側板片上部が挿入される挿入溝が設けられたことを特徴とする、通気と積み重ね機能を具えた爬虫類用飼育箱としている。
請求項４の考案は、請求項１記載の通気と積み重ね機能を具えた爬虫類用飼育箱において、二片の扉板にロック装置が設けられたことを特徴とする、通気と積み重ね機能を具えた爬虫類用飼育箱としている。
請求項５の考案は、請求項１記載の通気と積み重ね機能を具えた爬虫類用飼育箱において、二片の扉板に孔径が蚊やハエより小さい通気孔が設けられたことを特徴とする、通気と積み重ね機能を具えた爬虫類用飼育箱としている。
請求項６の考案は、請求項１又は５記載の通気と積み重ね機能を具えた爬虫類用飼育箱において、扉板の接続辺に密封パッキングが設けられたことを特徴とする、通気と積み重ね機能を具えた爬虫類用飼育箱としている。
【考案の効果】
【００１１】
本考案の飼育箱は箱体、蓋体及び２片の扉板で組成され、蓋体は箱体上方を被覆し、該蓋体表面にネットが設けられて通気に供され、２片の扉板は箱体と蓋体前方のスライドレール上に設けられて開閉に用いられ、特に該蓋体の四つの角部にＬ形ストッパが設けられ、該Ｌ形ストッパの内側にＬ形ストッパより低いＬ形フレームが設けられてもう一つの飼育箱を上に積み重ねるのに用いられ、該Ｌ形フレームを利用し飼育箱の間に通気空隙を保留し、２片の導電片７１に複数の細小な通気孔が設けられ、これにより良好な通風効果を保持し、また一片の扉板の接続辺に密封パッキングが設けられ、蚊やハエが隙間より飼育箱内部に進入するのを防止している。
【考案を実施するための最良の形態】
【００１２】
図３、４は本考案の立体組合せ図及び立体分解図、図５、６は本考案の平面組合せ図及び断面組合せ図である。本考案の飼育箱２０は、透明材料（例えばガラス、アクリル板等）で形成された前面板片２１、後面板片２２、左面板片２３、右面板片２４、底面板片２５が接着されて組み合わされてなり、該飼育箱２０は上部が開口とされるほか、該飼育箱２０の前面の上半部もまた開口とされ、前面板片２１は水を入れるための高さのみ有し、該飼育箱２０の上部が蓋体３０で被覆され、該蓋体３０の底部の左右及び後側に挿入溝３１が設けられ、左面板片２３、右面板片２４及び後面板片２２の上部が挿入され、該蓋体３０の前側及び前面板片２１の対応部分に上、下二列のスライドレール３２、２６が設けられ、二片の扉板４０、４１の設置に供され、二片の扉板４０、４１がスライドレール３２、２６中で開放と閉合可能とされる（図７は本考案の扉板が開放状態の表示図である）。該蓋体３０の表面に開口部３３が設けられ、該開口部３３にネット３４が設けられ、通気に供されるほか、蚊やハエの侵入を防止し、該蓋体３０の上部の四隅に上向きに突出するＬ形ストッパ３５が設けられ、該Ｌ形ストッパ３５の内側にＬ形ストッパ３５より低いＬ形フレーム３６が設けられ、もう一つの飼育箱２０’の積み重ねに供され、Ｌ形フレーム３６を利用して上下の二つの飼育箱２０、２０’の間に通気空隙が保留される。二片の扉板４０、４１にも複数の通気孔４２が設けられ、この複数の通気孔４２の孔径は一般の蚊やハエより小さく、通気のほか、蚊やハエの侵入を防止する。また一方の扉板４０の接続辺に密封パッキング４３が設けられ、密封パッキング４３がもう一片の扉板４１と密封作用を保持し、蚊やハエの扉の隙間からの飼育箱２０内部への侵入を防止する。
【００１３】
上述の各部品構造が組み合わされて本考案が形成され、それは通気と積み重ね機能を具えた爬虫類用飼育箱であり、その実際の操作応用については以下のとおりである。
【００１４】
通風通気方面では、図８の本考案の通風通気状態表示図に示されるように、本考案の飼育箱２０は、蓋体３０の表面に設けられた開口部３３とネット３４のほか、二片の扉板４０、４１に複数の通気孔４２が設けられ、飼育箱２０内部の空気が外界の空気と上下の対流の作用を形成でき、これにより良好な通風効果を保持し、且つ積み重ね状態では、該Ｌ形フレーム３６が上下の二つの飼育箱２０、２０’の間に通気空隙を保留させる。
【００１５】
蚊やハエの侵入防止方面では、図９の本考案の蚊やハエの侵入の防止状態表示図に示されるように、本考案の飼育箱２０は、蓋体３０の表面に開口部３３とネット３４が設けられ、二片の扉板４０、４１に孔径が蚊やハエより小さい複数の通気孔４２が設けられ、扉板４０の接続部分に密封パッキング４３が設けられて二片の扉板４０、４１が密封作用を保持し、完全に蚊やハエの飼育箱２０への侵入を防止できる。
【００１６】
積み重ね方面では、図１０の本考案の積み重ね状態表示図に示されるように、本考案の提供する飼育箱２０は、直接もう一つの飼育箱２０’を蓋体３０の四つの角部のＬ形フレーム３６に積み重ねることができ、同時にＬ形ストッパ３５を利用して飼育箱２０’の位置ずれ傾倒を防止でき、且つＬ形フレーム３６は飼育箱２０’の安定した支持効果を増す。
【００１７】
総合すると、本考案は通気と積み重ね機能を具えた爬虫類用飼育箱を提供し、本考案者が実際に製造完成し反復して操作試験を行なったところ、確実に本考案の予期された作用効果が達成されることが実証され、また本考案は未だない新規な考案であり、産業上の利用価値を有し、実用性と進歩性を有している。
【図面の簡単な説明】
【００１８】
【図１】周知の技術の立体分解図である。
【図２】周知の技術の積み重ね時の断面組合せ図である。
【図３】本考案の立体組合せ図である。
【図４】本考案の立体分解図である。
【図５】本考案の平面組合せ図である。
【図６】本考案の断面組合せ図である。
【図７】本考案の扉板が開放状態の表示図である。
【図８】本考案の通風通気状態表示図である。
【図９】本考案の蚊やハエの侵入の防止状態表示図である。
【図１０】本考案の積み重ね状態表示図である。
【符号の説明】
【００１９】
１０  飼育箱              １０’  飼育箱
１１  前面板片            １２  後面板片
１３  左面板片            １４  右面板片
１５  底面板片            １６  Ｌ形保護角
１６１  挿入溝            １６２  位置決め柱
２０  飼育箱              ２０’  飼育箱
２１  前面板片            ２２  後面板片
２３  左面板片            ２４  右面板片
２５  底面板片            ２６  スライドレール
３０  蓋体                ３１  挿入溝
３２  スライドレール      ３３  開口部
３４  ネット              ３５  Ｌ形ストッパ
３６  Ｌ形フレーム
４０  扉板                ４１  扉板
４２  通気孔              ４３  密封パッキング
【図１】
0003108126.tif 000003
【図２】
0003108126.tif 000004
【図３】
0003108126.tif 000005
【図４】
0003108126.tif 000006
【図５】
0003108126.tif 000007
【図６】
0003108126.tif 000008
【図７】
0003108126.tif 000009
【図８】
0003108126.tif 000010
【図９】
0003108126.tif 000011
【図１０】
0003108126.tif 000012